(57)【要約】【課題】ホース装着の際のウォッシャノズルの位置ずれを防止することができるウォッシャノズル取付構造を提供する。【解決手段】カウルパネル３のガラス側壁部１１にはウォッシャノズル３０の後部が装着される開口部１２が設けられ、カウルパネル３内にはウォッシャノズル３０の前部が装着される装着壁部１６が設けられる。ウォッシャノズル３０は後部に噴射孔が設けられており、前部において下方に延びるホース装着部４０が設けられており、更に後部において下方への移動を規制すべく開口部１２下縁（装着片１９）と当接する後側当接部３４が設けられ、前部において上方への移動を規制すべく装着壁部１６（壁側当接部２５）と当接する前側当接部４２が設けられる。【選択図】図３
2011006066.tif 000002
【特許請求の範囲】
【請求項１】
車両のフロントガラスの下部に配設されるカウルパネルの内側に、前記フロントガラスの払拭面に向かって洗浄液を噴射するためのウォッシャノズルを取り付ける、その取付構造であって、
前記カウルパネルは、内側において上方に凹設した形状をなす凹設部を有しており、該凹設部において前記フロントガラスと対向するガラス側壁部に前記ウォッシャノズルの後部が装着される開口部を有するとともに、前記凹設部内に前記ウォッシャノズルの前部が装着される装着壁部を有し、更に、前記ガラス側壁部における前記開口部の縁部に装着片が前記装着壁部側に突出形成され、
前記ウォッシャノズルは、前記開口部に装着される後部に前記カウルパネルの外側に臨むように前記洗浄液を噴射する噴射孔を有し、更に、前記ウォッシャノズルの後部に前記装着片における上下方向の一側面と当接する後側当接部が設けられ、そのウォッシャノズルの後部に前記装着片における上下方向の他側面と当接するとともにその装着片の他側面を弾性力にて押圧する後側弾性片が設けられ、そのウォッシャノズルの後部がその後側弾性片と前記後側当接部とで前記装着片を挟み込むことで装着片に対して装着され、前記ウォッシャノズルの前部に前側弾性片が設けられるとともに、前記ウォッシャノズルの後部に前記装着片における前記装着壁部側の端部に当接することで後部の前記開口部からの突出を規制する第１規制当接部が設けられ、前記前側弾性片の弾性力によりその前側弾性片が前記装着壁部を押圧することで、前記第１規制当接部の前記装着片への当接方向に弾性力を付与して第１規制当接部を前記装着片の端部に押圧させることを特徴とするウォッシャノズル取付構造。
【請求項２】
請求項１に記載のウォッシャノズル取付構造において、
前記カウルパネルは、前記凹設部内に前記ウォッシャノズルに向けて突出形成される移動規制部を有し、
前記ウォッシャノズルの上壁面には、ウォッシャノズルが前方に移動したときに前記移動規制部の後側部と当接することで、ウォッシャノズルのそれ以上の前方側への移動を規制する第２規制当接部が設けられていることを特徴とするウォッシャノズル取付構造。
【請求項３】
請求項２に記載のウォッシャノズル取付構造において、
前記後側当接部は、前記第２規制当接部が前記移動規制部の後側部と当接するときに前記装着片の前記一側面と当接することを特徴とするウォッシャノズル取付構造。
【請求項４】
請求項１に記載のウォッシャノズル取付構造において、
前記ウォッシャノズルの前部には、前記装着壁部の側部と前後方向において対向し、ウォッシャノズルが前方に移動したときにその装着壁部の側部に当接することで、ウォッシャノズルのそれ以上の前方側への移動を規制する当接規制部が設けられていることを特徴とするウォッシャノズル取付構造。
【請求項５】
請求項４に記載のウォッシャノズル取付構造において、
前記後側当接部は、前記当接規制部が前記装着壁部の側部と当接するときに前記装着片の前記一側面と当接することを特徴とするウォッシャノズル取付構造。
【発明の詳細な説明】
【技術分野】
【０００１】
本発明は、車両のフロントガラス（ウインドシールドガラス）に洗浄液を噴射するためのウォッシャノズルを該フロントガラスの下部に配設されるカウルパネルに取り付ける、その取付構造に関するものである。
【背景技術】
【０００２】
この種のウォッシャノズル取付構造は、例えば特許文献１にて開示されている。この特許文献１では、車両のカウルパネル（文献中、カウルトップガーニッシュ）に円筒状の隆起部が設けられており、該隆起部の先端にはカウルパネルの外側からウォッシャノズルが装着されている。
【０００３】
ウォッシャノズルは、カウルパネルの内側に延びるホース装着部（文献中、ホース連結部）を有している。ホース装着部には、ウォッシャタンクから延びるホースが装着される。そして、ウォッシャポンプの作動により、ホースを通じてウォッシャタンクから洗浄液がウォッシャノズルに供給されることで、該ウォッシャノズルからフロントガラスに洗浄液が噴射されるようになっている。
【先行技術文献】
【特許文献】
【０００４】
【特許文献１】特開平１１−３３４５４４号公報
【発明の概要】
【発明が解決しようとする課題】
【０００５】
本発明の目的は、カウルパネルの内側に取り付けられるウォッシャノズルのカウルパネルの開口部からの突出を防止するとともに、ウォッシャノズルをカウルパネルに対してがたつきなく装着することができるウォッシャノズル取付構造を提供することにある。
【課題を解決するための手段】
【０００６】
上記目的を達成するために、請求項１に記載の発明は、車両のフロントガラスの下部に配設されるカウルパネルの内側に、前記フロントガラスの払拭面に向かって洗浄液を噴射するためのウォッシャノズルを取り付ける、その取付構造であって、前記カウルパネルは、内側において上方に凹設した形状をなす凹設部を有しており、該凹設部において前記フロントガラスと対向するガラス側壁部に前記ウォッシャノズルの後部が装着される開口部を有するとともに、前記凹設部内に前記ウォッシャノズルの前部が装着される装着壁部を有し、更に、前記ガラス側壁部における前記開口部の縁部に装着片が前記装着壁部側に突出形成され、前記ウォッシャノズルは、前記開口部に装着される後部に前記カウルパネルの外側に臨むように前記洗浄液を噴射する噴射孔を有し、更に、前記ウォッシャノズルの後部に前記装着片における上下方向の一側面と当接する後側当接部が設けられ、そのウォッシャノズルの後部に前記装着片における上下方向の他側面と当接するとともにその装着片の他側面を弾性力にて押圧する後側弾性片が設けられ、そのウォッシャノズルの後部がその後側弾性片と前記後側当接部とで前記装着片を挟み込むことで装着片に対して装着され、前記ウォッシャノズルの前部に前側弾性片が設けられるとともに、前記ウォッシャノズルの後部に前記装着片における前記装着壁部側の端部に当接することで後部の前記開口部からの突出を規制する第１規制当接部が設けられ、前記前側弾性片の弾性力によりその前側弾性片が前記装着壁部を押圧することで、前記第１規制当接部の前記装着片への当接方向に弾性力を付与して第１規制当接部を前記装着片の端部に押圧させることをその要旨とする。
【０００７】
この発明によれば、ウォッシャノズルには後部の開口部からの突出を規制すべく装着片と当接する第１規制当接部が設けられ、前側弾性片は第１規制当接部の当接方向に弾性力を付与する。つまり、第１規制当接部が装着片に当接することでウォッシャノズルの開口部からの突出が防止されるとともに、前側弾性片により第１規制当接部が装着片に押圧されることから、ウォッシャノズルがカウルパネルに対してがたつきなく装着される。また、ウォッシャノズルの後部には後側弾性片が設けられ、前部には前側弾性片が設けられるため、ウォッシャノズルがカウルパネルに対してがたつきなく装着される。
【０００８】
請求項２に記載の発明は、請求項１に記載のウォッシャノズル取付構造において、前記カウルパネルは、前記凹設部内に前記ウォッシャノズルに向けて突出形成される移動規制部を有し、前記ウォッシャノズルの上壁面には、ウォッシャノズルが前方に移動したときに前記移動規制部の後側部と当接することで、ウォッシャノズルのそれ以上の前方側への移動を規制する第２規制当接部が設けられていることをその要旨とする。
【０００９】
この発明によれば、ウォッシャノズルのカウルパネルへの取付状態において開口部からウォッシャノズルを押し込む方向の外力が作用しても、第２規制当接部が移動規制部と当接することでウォッシャノズルの同押し込み方向への移動が規制される。
【００１０】
請求項３に記載の発明は、請求項２に記載のウォッシャノズル取付構造において、前記後側当接部は、前記第２規制当接部が前記移動規制部の後側部と当接するときに前記装着片の前記一側面と当接することをその要旨とする。
【００１１】
この発明によれば、ウォッシャノズルは、前方（この場合、開口部方向と反対方向）への移動が規制されたときでも後側当接部が装着片と当接するので、ウォッシャノズルの取付姿勢が常に安定する。
【００１２】
請求項４に記載の発明は、請求項１に記載のウォッシャノズル取付構造において、前記ウォッシャノズルの前部には、前記装着壁部の側部と前後方向において対向し、ウォッシャノズルが前方に移動したときにその装着壁部の側部に当接することで、ウォッシャノズルのそれ以上の前方側への移動を規制する当接規制部が設けられていることをその要旨とする。
【００１３】
請求項５に記載の発明は、請求項４に記載のウォッシャノズル取付構造において、前記後側当接部は、前記当接規制部が前記装着壁部の側部と当接するときに前記装着片の前記一側面と当接することをその要旨とする。
【発明の効果】
【００１４】
本発明によれば、カウルパネルの内側に取り付けられるウォッシャノズルのカウルパネルの開口部からの突出を防止するとともに、ウォッシャノズルをカウルパネルに対してがたつきなく装着することができるウォッシャノズル取付構造を提供することができる。
【図面の簡単な説明】
【００１５】
【図１】第１の実施の形態におけるウォッシャノズル装着カウルパネルを備えた車両の斜視図である。
【図２】ウォッシャノズル装着部分のカウルパネル及びその周囲の側断面図である。
【図３】ウォッシャノズル装着部分のカウルパネルの側断面拡大図である。
【図４】（ａ）はウォッシャノズルの後側上方から見た斜視図であり、（ｂ）はウォッシャノズルの前側下方から見た斜視図である。
【図５】（ａ）はノズル装着部の後側上方から見た斜視図であり、（ｂ）はノズル装着部の前側下方から見た斜視図である。
【図６】第２の実施の形態のウォッシャノズル装着部分のカウルパネルの側断面拡大図である。
【図７】（ａ）はウォッシャノズルの後側上方から見た斜視図であり、（ｂ）はウォッシャノズルの前側下方から見た斜視図である。
【図８】ノズル装着部の前側下方から見た斜視図である。
【発明を実施するための形態】
【００１６】
（第１の実施の形態）
以下、本発明を具体化した第１の実施の形態を図面に従って説明する。
図１及び図２に示すように、車両のフロントガラス１の下部とボンネット２との間には、車幅方向に長い形状をなす樹脂製のカウルパネル３が配設されている。カウルパネル３には、対をなす車両用ワイパ４を駆動するためのピボット軸（図示略）が挿通されている。
【００１７】
カウルパネル３は、上方に凸となるように屈曲された凸状部１０が長手方向に連続して設けられ、該凸状部１０はフロントガラス１に対向するガラス側壁部１１を有している。ガラス側壁部１１には、カウルパネル３の長手方向（車幅方向）の所定の２箇所に、それぞれ略矩形状の開口部１２が設けられている。各開口部１２は、カウルパネル３（凸状部１０）の内側に配置されるウォッシャノズル３０からの洗浄液Ｗの噴射を可能としている。
【００１８】
カウルパネル３の凸状部１０の内側には、上方に凹設した形状をなす凹設部１３が設けられている。凹設部１３には、各開口部１２が設けられる部分において、それぞれウォッシャノズル３０を装着するためのノズル装着部１５が設けられている。
【００１９】
図３及び図５に示すように、ノズル装着部１５は、前記ガラス側壁部１１と、該ガラス側壁部１１と対向するようにカウルパネル３の内側面から下方に板状に延出される装着壁部１６と、該装着壁部１６の両側とガラス側壁部１１とを連結すべく板状に延出される連結壁部１７，１８とを有し、各壁部１１，１６〜１８にて四方が囲まれた四角筒状をなしている。
【００２０】
ガラス側壁部１１における開口部１２の下縁部には、両側が各連結壁部１７，１８の下端部と接続されつつ装着壁部１６側に板状に突出する装着片１９が形成されている。装着片１９の装着壁部１６側の略矩形状をなす開口は挿入口２０となっており、該挿入口２０には下方から各壁部１１，１６〜１８で囲まれた収容凹部２１内にウォッシャノズル３０が挿入され装着される。
【００２１】
図３及び図４に示すように、ウォッシャノズル３０は、樹脂製であって略直方体形状に形成されている。尚、ウォッシャノズル３０は、前記開口部１２側に装着されるのを後部とし、前記装着壁部１６に装着されるのを前部とする。ウォッシャノズル３０は、その前部が車両前方側に、後部が車両後方側に向けて装着される。
【００２２】
ウォッシャノズル３０の後部から説明すると、ウォッシャノズル３０の後面中央には、矩形状に開口するチップ嵌挿孔３１が形成されている。チップ嵌挿孔３１は、ウォッシャノズル３０の前側に延びている。チップ嵌挿孔３１には、略直方体形状をなすノズルチップ（流体素子）３２が着脱可能に装着される。
【００２３】
ノズルチップ３２は、後端部（チップ嵌挿孔３１の開口側）に洗浄液Ｗを噴射する噴射孔３３が形成されている。ノズルチップ３２は、噴射孔３３に通じる主流路（図示略）と、該主流路の下流側から上流側に連通されるフィードバック流路（図示略）とを有し、洗浄液Ｗをフィードバック流路を介して主流路に戻すことで該主流路内の洗浄液Ｗを自励発振させ、噴射孔３３からフロントガラス１の払拭面１ａに対する洗浄液Ｗの噴射を拡散噴射とするものである（図１参照）。このようなノズルチップ３２は例えば車種毎に設けられ、ウォッシャノズル３０のボディを複数の車種間で共用可能としている。
【００２４】
ウォッシャノズル３０の後側下縁部には、凸状の後側当接部３４が形成されている。後側当接部３４は、ウォッシャノズル３０の後側下縁部の幅方向に連続して設けられている。この後側当接部３４は、前記開口部１２下縁に設けた装着片１９の上面と当接する。
【００２５】
また、ウォッシャノズル３０の後側下面には、後側当接部３４の若干前方側において後側弾性片３５が設けられている。後側弾性片３５は、ウォッシャノズル３０より幅狭に形成されており、該ウォッシャノズル３０の幅方向中央に設けられている。後側弾性片３５は、先端部が前記開口部１２下縁に設けた装着片１９の下面と当接する。この場合、後側弾性片３５は装着片１９の下面を自身の弾性力にて押圧し、これに伴って後側当接部３４の当接方向に弾性力を付与して、後側当接部３４を該装着片１９の上面に押圧させる。ウォッシャノズル３０の後部は、後側弾性片３５と後側当接部３４とで装着片１９を挟み込むことで装着片１９に対して装着される。
【００２６】
また、後側弾性片３５の基端部には、前記装着片１９の先端面に当接する規制当接部（第１規制当接部）３６が設けられている。規制当接部３６は前記装着片１９の先端面に当接することで、ウォッシャノズル３０の開口部１２からの突出が規制（防止）される。
【００２７】
一方、ウォッシャノズル３０の前部下面における幅方向中央には、該ウォッシャノズル３０の前方斜め下方に向けて円筒状に延びるホース装着部４０が設けられている。ホース装着部４０には、車両に搭載されるウォッシャタンク（図示略）から延びるゴム製のホース４１が装着される（図２参照）。ホース装着部４０内の流路は、前記ノズルチップ３２の主流路の基端部（噴射孔３３と反対側）に繋がっている。そして、ウォッシャポンプ（図示略）の作動により、ホース４１を通じてウォッシャタンクから洗浄液Ｗがウォッシャノズル３０（ノズルチップ３２）に供給されることで、該ウォッシャノズル３０の噴射孔３３から払拭面１ａに対して洗浄液Ｗの拡散噴射がなされる。
【００２８】
ウォッシャノズル３０のホース装着部４０の上部（幅方向中央）には、板状の前側当接部４２が設けられている。ここで、前記装着壁部１６には、前側当接部４２の先端部が当接する壁側当接部２５が設けられている。壁側当接部２５は、その当接面が下方を向いている。前側当接部４２の先端部はその壁側当接部２５に当接することで、ウォッシャノズル３０の前部がそれ以上上方に移動することが規制される。
【００２９】
前側当接部４２には、装着壁部１６の側面部２７と前後方向において対向し、ウォッシャノズル３０が前方に移動した際に当接する当接規制部４２ａが設けられている。この当接規制部４２ａは、図３に示すウォッシャノズル３０の正規の姿勢にて保持されている場合では、装着壁部１６の側面部２７に対して前後方向に隙間Ｔが設定されている。この隙間Ｔは、前記装着片１９の先端面と後側当接部３４との間隔αより小さく設定されている。つまり、ウォッシャノズル３０が前方に移動しようとした場合、後側当接部３４が装着片１９の上面から脱落するよりも前に当接規制部４２ａが装着壁部１６の側面部２７に当接し、ウォッシャノズル３０のそれ以上前方への移動が規制されるようになっている。
【００３０】
また、ウォッシャノズル３０の前部上面には、幅方向の前側当接部４２及びホース装着部４０の両側に、それぞれ前側弾性片４３が設けられている。各前側弾性片４３は、前方斜め下方に向けて延出されている。
【００３１】
前側弾性片４３の略中央には、ウォッシャノズル３０の前方に向けて略三角形状に突出する係止突起４４が形成されている。ここで、前記装着壁部１６には、幅方向の壁側当接部２５の両側に、それぞれ矩形状の係止孔２６が形成されている。この係止孔２６内に係止突起４４が挿入されて係止孔２６の下側縁部２６ａと係止可能状態となることで、ウォッシャノズル３０の前部の下方への移動を規制し、ウォッシャノズル３０のノズル装着部１５からの脱落が防止される。
【００３２】
前側弾性片４３の係止突起４４よりも下側には、該係止突起４４と連続して当接斜面４５が形成されている。当接斜面４５は前方斜め下方に向く平面をなしており、前側当接部４２が壁側当接部２５に当接した状態で係止孔２６の下側縁部２６ａと当接する。当接斜面４５は、前側弾性片４３自身の弾性力により、係止孔２６の下側縁部２６ａに押圧される。この場合、当接斜面４５が係止孔２６の下側縁部２６ａを押圧することで、前側当接部４２の当接方向に弾性力を付与して前側当接部４２を壁側当接部２５に押圧させるとともに、前記規制当接部３６の当接方向にも弾性力を付与して規制当接部３６を装着片１９の先端面に押圧させる。
【００３３】
前側弾性片４３の先端部は、操作部４６となっている。操作部４６は、前側弾性片４３の弾性力に抗してウォッシャノズル３０の後方に傾動させて係止突起４４を係止孔２６から抜き、装着壁部１６に対するウォッシャノズル３０の前部の装着を解除するために設けられている。これにより、ウォッシャノズル３０のノズル装着部１５からの取り外しが可能となっている。
【００３４】
このような構成のウォッシャノズル３０をノズル装着部１５（収容凹部２１内）に装着する際（図３参照）、先ず、挿入口２０に向けてウォッシャノズル３０の後部を斜め上方（ガラス側壁部１１の開口部１２側）を向くようにし、後側弾性片３５と後側当接部３４とが装着片１９を挟み込むように該装着片１９に引っ掛けられる。
【００３５】
次いで、装着片１９に引っ掛けられた例えば後側弾性片３５の接触部分が支点となってウォッシャノズル３０の前端が上方に回動され、該ウォッシャノズル３０が挿入口２０から収容凹部２１内に挿入される。この場合、前側弾性片４３の係止突起４４が装着壁部１６の下端から内側面に当接しながら係止孔２６内に挿入されるまで、ウォッシャノズル３０の前部が挿入口２０内に挿入される。
【００３６】
次いで、前側弾性片４３の係止突起４４が装着壁部１６の係止孔２６内に挿入されると、前側弾性片４３の弾性復帰し、該係止突起４４と連続するように設けられる当接斜面４５が係止孔２６の下側縁部２６ａに当接する。この場合、前側弾性片４３の弾性力にて当接斜面４５が係止孔２６の下側縁部２６ａを押圧することで、ウォッシャノズル３０の前部が上方に押し上げられ、前側当接部４２が壁側当接部２５に当接する。
【００３７】
また、前側当接部４２が壁側当接部２５に当接した状態となっても、前側弾性片４３の弾性力により当接斜面４５が係止孔２６の下側縁部２６ａを押圧するようになっており、これにより前側当接部４２が壁側当接部２５を押圧するとともに、規制当接部３６が装着片１９の先端面に押圧される。こうしてウォッシャノズル３０がノズル装着部１５（収容凹部２１）内にがたつきなく装着される。
【００３８】
そして、ウォッシャノズル３０が装着されると、該ウォッシャノズル３０のホース装着部４０にウォッシャタンク側から延びるゴム製のホース４１が装着される（図２参照）。ホース４１は、その内径を広げつつホース装着部４０に装着される。このとき、ホース装着部４０にはホース４１の装着方向（後方斜め上方）等に比較的大きな装着力が作用し、ウォッシャノズル３０の前部を上方に移動させようとする。場合によっては、ウォッシャノズル３０の前部を上方に、ウォッシャノズル３０の後部を下方に移動させようとする。このような場合、ウォッシャノズル３０の前部では前側当接部４２が壁側当接部２５に当接し、後部では後側当接部３４が装着片１９の上面に当接しているため、ウォッシャノズル３０の前部が上方に、ウォッシャノズル３０の後部が下方に移動することが防止される。
【００３９】
つまり、ホース４１の装着の際にウォッシャノズル３０の装着位置がずれることが防止されるため、その中でもウォッシャノズル３０の仰角のずれが防止されることで、フロントガラス１の払拭面１ａにおける洗浄液Ｗの着水位置が所望の位置から大きくずれてしまうことが未然に防止されるようになっている。逆に、ホース４１のホース装着部４０への装着力が開放され、ホース４１の重量等によりウォッシャノズル３０に上記装着方向と逆方向の力が一時的に作用しても、ウォッシャノズル３０は前側弾性片４３の上記弾性力により姿勢が自己補正されて正規の姿勢に保持される。
【００４０】
また、ウォッシャノズル３０の装着後、高圧洗車や洗車ブラシ等により開口部１２側からウォッシャノズル３０が前側弾性片４３の弾性力に抗して前方に押された場合、後側当接部３４が装着片１９の上面から外れるよりも前に当接規制部４２ａが装着壁部１６の側面部２７に当接するように隙間Ｔが設定されているため、このような場合のウォッシャノズル３０の脱落も防止されている。
【００４１】
次に、本実施の形態の特徴的な作用効果を記載する。
（１）カウルパネル３のガラス側壁部１１にはウォッシャノズル３０の後部が装着される開口部１２が設けられ、カウルパネル３内側の凹設部１３内にはウォッシャノズル３０の前部が装着される装着壁部１６が設けられている。これに対し、ウォッシャノズル３０は後部に噴射孔３３が設けられており、前部において下方に延びるホース装着部４０が設けられている。このようなウォッシャノズル３０は、後部において下方への移動を規制すべく開口部１２下縁の装着片１９の上面と当接する後側当接部３４が設けられ、前部において上方への移動を規制すべく装着壁部１６の壁側当接部２５と当接する前側当接部４２が設けられている。ここで、ホース装着部４０に車体側から延びるホース４１が装着される際、該ホース装着部４０にはホース４１の装着方向等に比較的大きな装着力が作用し、ウォッシャノズル３０の前部を上方に移動させようとし、場合によってはウォッシャノズル３０の前部を上方に、後部を下方に移動させようとする。このような場合、ウォッシャノズル３０の前部では前側当接部４２が壁側当接部２５に当接し、後部では後側当接部３４が装着片１９の上面に当接しているため、ウォッシャノズル３０の前部が上方に、後部が下方に移動することを防止することができる。つまり、ホース４１の装着の際にウォッシャノズル３０の装着位置がずれることを防止できるため、その中でもウォッシャノズル３０の仰角のずれを防止できることで、フロントガラス１の払拭面１ａにおける洗浄液Ｗの着水位置が所望の位置から大きくずれてしまうことを未然に防止することができる。
【００４２】
（２）ウォッシャノズル３０の後部には後側当接部３４の当接方向に弾性力を付与する後側弾性片３５が設けられ、前部には前側当接部４２の当接方向に弾性力を付与する前側弾性片４３が設けられている。つまり、後側弾性片３５により後側当接部３４が装着片１９の上面に押圧され、前側弾性片４３により前側当接部４２が壁側当接部２５に押圧されるため、ウォッシャノズル３０をカウルパネル３（ノズル装着部１５）に対してがたつきなく装着することができ、装着位置のずれをより確実に防止することができる。
【００４３】
（３）ホース装着部４０はウォッシャノズル３０の幅方向中央に配置され、対で設けられる前側弾性片４３が幅方向においてホース装着部４０の両側に設けられている。つまり、幅方向中央に配置されるホース装着部４０からホース４１装着時の装着力がウォッシャノズル３０に幅方向においてバランスよく作用し、しかもホース装着部４０の両側の各前側弾性片４３にて前側当接部４２に幅方向においてバランスよく弾性力が付与できる。そのため、ウォッシャノズル３０を安定して支持でき、該ウォッシャノズル３０の装着位置のずれをより確実に防止することができる。
【００４４】
（４）ウォッシャノズル３０には後部の開口部１２からの突出を規制すべく装着片１９の先端面と当接する規制当接部３６が設けられており、前側弾性片４３は規制当接部３６の当接方向にも弾性力を付与する。つまり、規制当接部３６が装着片１９の先端面に当接することでウォッシャノズル３０の開口部１２からの突出を防止しつつ、前側弾性片４３により規制当接部３６が装着片１９の先端面に押圧されることから、ウォッシャノズル３０をカウルパネル３（ノズル装着部１５）に対してがたつきなく装着することができる。
【００４５】
また、規制当接部３６が後側弾性片３５に一体に設けられるため、ウォッシャノズル３０の形状の簡素化に貢献できる。また、前側当接部４２の当接方向に弾性力を付与する前側弾性片４３にて規制当接部３６の当接方向にも弾性力を付与する構成としているため、弾性片の共通化が図られ、これによってもウォッシャノズル３０の形状の簡素化に貢献できる。
【００４６】
（５）カウルパネル３には、ウォッシャノズル３０の幅方向両側においてガラス側壁部１１と装着壁部１６とをそれぞれ連結する連結壁部１７，１８が設けられている。つまり、ノズル装着部１５の四方が連続する壁部にて囲まれるため、該ノズル装着部１５の剛性が高くなる。そのため、例えばノズル装着部１５に外力が作用しても該ノズル装着部１５が変形し難くなるため、変形による相互の係止状態が解除されることを防止でき、これによりウォッシャノズル３０の脱落を防止することができる。
【００４７】
（第２の実施の形態）
以下、本発明を具体化した第２の実施の形態を図面に従って説明する。尚、本実施の形態のウォッシャノズル５０では、前部及び後部の装着部分の構成が変更されている。これに伴い、カウルパネル３の凹設部１３におけるウォッシャノズル５０を装着するための構成も変更されている。従って、以下には、これらの部分を中心に説明し、前記第１の実施の形態と同様の構成ついては同一の符号を付して説明を省略する。
【００４８】
先ず、ウォッシャノズル５０の前部の装着部分について、図６及び図８に示すように、カウルパネル３（凹設部１３）の内側面には、該内側面から下方に板状に延出されウォッシャノズル５０の前部を装着させるための装着壁部６０と、ウォッシャノズル５０の上壁面５０ａに向けて垂下するように板状に突出形成される移動規制部６１とが設けられている。装着壁部６０は、その幅方向両側とガラス側壁部１１とを連結すべく板状に延出される連結壁部６２，６３とを有し、各壁部１１，６０，６２，６３にて四方が囲まれた四角筒状をなしている。
【００４９】
また、装着壁部６０には、幅方向中央に下端から切り欠かれウォッシャノズル５０のホース装着部４０に装着されるホース４１との干渉を防止する切欠部６４が設けられ、該切欠部６４の両側においては、ウォッシャノズル５０の各前側弾性片４３と係止すべく延出される係止部６５がそれぞれ設けられている。そして、ウォッシャノズル５０は、前側弾性片４３に設けた当接斜面４５が係止部６５に当接するように装着される。このとき、前側弾性片４３自身の弾性力により、後述する前側当接部５１の当接方向に弾性力が付与されて前側当接部５１が移動規制部６１の下面に押圧されるとともに、後述する規制当接部５３の当接方向にも弾性力が付与されて規制当接部５３が装着片１９の先端面に押圧されるようにウォッシャノズル５０が装着される。
【００５０】
移動規制部６１は、その下端がカウルパネル３に設けた開口部１２の上縁部と略等しい位置まで下方に向けて延出されている。また、移動規制部６１は、幅方向においては一方の連結壁部６２の内側面から他方の連結壁部６３寄りの所定位置まで延出されている。この移動規制部６１は、幅方向中央から所定間隔を有する一対の連結壁部６６，６７が前記連結壁部６２，６３と平行に延びてガラス側壁部１１と連結し、所定の剛性が確保されている。そして、このような移動規制部６１には、その下面にウォッシャノズル５０の上壁面５０ａの前側に設けられる前側当接部５１が当接するとともに、該規制部６１の後側面にその前側当接部５１より若干後方に設けられる規制当接部（第２規制当接部）５２が当接する。
【００５１】
図７に示すように、ウォッシャノズル５０の上壁面５０ａに立設された前側当接部５１は、断面半円状をなしウォッシャノズル５０の幅方向全体に亘り連続して設けられている。つまり、万一、ウォッシャノズル５０が幅方向にずれて装着された場合であっても、前側当接部５１が移動規制部６１の下面に確実に当接するようになっている。
【００５２】
また、ウォッシャノズル５０の上壁面５０ａにおいて、前側当接部５１の若干後方の幅方向中央に規制当接部５２が立設されている。規制当接部５２は、側方視略台形状で前面（移動規制部６１の後側面と対向する面）が垂直面をなす四角柱状に形成されている。この規制当接部５２は、通常、図６の実線にて示すウォッシャノズル５０の装着位置では、上記したように前側弾性片４３自身の弾性力にて後述の規制当接部５３が装着片１９の先端面に当接することで、移動規制部６１から離間して配置される。これに対し、カウルパネル３の開口部１２からウォッシャノズル５０を前方側に押し込むような外力が作用すると、前側弾性片４３の弾性力に抗して規制当接部５２の前面が移動規制部６１の後側面に当接する図６の２点鎖線にて示す位置までの移動は許容され、それ以上押し込み方向（前方）への移動が規制されるようになっている。このとき、ウォッシャノズル５０が図６の２点鎖線にて示す最大押込位置まで押し込まれても、前側当接部５１が移動規制部６１の下面と当接する状態が維持されるようにもなっている。
【００５３】
一方、ウォッシャノズル５０の後部の装着部分について、図６及び図７に示すように、規制当接部（第１規制当接部）５３と、後側弾性片５４とが個別に設けられている。規制当接部５３は、ウォッシャノズル５０の後側下縁部に設けた後側当接部３４の若干前方側に、断面長方形状をなしウォッシャノズル５０の幅方向全体に亘り連続して設けられている。この規制当接部５３は、通常、図６の実線にて示すウォッシャノズル５０の装着位置では、前側弾性片４３自身の弾性力にて装着片１９の先端面に当接（押圧）し、ウォッシャノズル５０はその取付姿勢が維持される。
【００５４】
後側弾性片５４は、その規制当接部５３よりも更に前方側においてウォッシャノズル５０よりも若干幅狭に形成されており、該ウォッシャノズル５０の幅方向中央に設けられている。後側弾性片５４は、先端部が後側当接部３４の近傍位置となるまで後方に向けて延出され、先端部に設けた凸状の当接部５５がカウルパネル３の装着片１９の下面と当接する。この場合、後側弾性片５４（当接部５５）は装着片１９の下面を自身の弾性力にて押圧し、これに伴って後側当接部３４を該装着片１９の上面に押圧させる。しかも、後側弾性片５４先端の当接部５５は、後側当接部３４と上下方向（垂直方向）で対向する位置に設けられているため、前側弾性片４３の弾性力がウォッシャノズル５０を側方から見て回転させる方向に作用しないようになっている。
【００５５】
また、上記したようにカウルパネル３の開口部１２からウォッシャノズル５０を前方側に押し込むような外力が作用し、前記規制当接部５２の前面が移動規制部６１の後側面に当接する図６の２点鎖線にて示す最大押込位置まで押し込まれた場合、規制当接部５３が装着片１９の先端面から離間するが、前記後側当接部３４及び後側弾性片５４の当接部５５は装着片１９の上面及び下面と当接する状態が維持されるようになっている。
【００５６】
次に、上記第１の実施の形態と同様の作用効果（１）〜（５）に加え、本実施の形態の特徴的な作用効果を記載する。
（１）本実施の形態においても、ウォッシャノズル５０の前部では前側当接部５１が凹設部１３に設けた移動規制部６１の下面に当接し、後部では後側当接部３４が装着片１９の上面に当接しているため、ウォッシャノズル５０の前部が上方に、後部が下方に移動することを防止することができる。つまり、ホース４１の装着の際にウォッシャノズル５０の装着位置がずれることを防止できるため、その中でもウォッシャノズル５０の仰角のずれを防止できることで、フロントガラス１の払拭面１ａにおける洗浄液Ｗの着水位置が所望の位置から大きくずれてしまうことを未然に防止することができる。
【００５７】
（２）本実施の形態においても、後側弾性片５４により後側当接部３４が装着片１９の上面に押圧され、前側弾性片４３により前側当接部５１が移動規制部６１の下面に押圧されるため、ウォッシャノズル５０をカウルパネル３（ノズル装着部１５）に対してがたつきなく、しかも姿勢が自己調整されて装着することができ、装着位置のずれをより確実に防止することができる。
【００５８】
（３）本実施の形態においても、幅方向中央に配置されるホース装着部４０からホース４１装着時の装着力がウォッシャノズル５０に幅方向においてバランスよく作用し、しかもホース装着部４０の両側の各前側弾性片４３にて前側当接部５１に幅方向においてバランスよく弾性力が付与できる。そのため、ウォッシャノズル５０を安定して支持でき、該ウォッシャノズル５０の装着位置のずれをより確実に防止することができる。
【００５９】
（４）本実施の形態においても、規制当接部５３が装着片１９の先端面に当接することでウォッシャノズル５０の開口部１２からの突出を防止しつつ、前側弾性片４３により規制当接部５３が装着片１９の先端面に押圧されることから、ウォッシャノズル５０をカウルパネル３（ノズル装着部１５）に対してがたつきなく装着することができる。
【００６０】
（５）本実施の形態においても、ノズル装着部１５の四方が連続する壁部１１，６０，６２，６３にて囲まれるため、樹脂製のカウルパネル３における該ノズル装着部１５の剛性が高くなる。そのため、例えばノズル装着部１５に外力が作用しても該ノズル装着部１５が変形し難くなるため、変形による相互の係止状態が解除されることを防止でき、これによりウォッシャノズル５０の脱落を防止することができる。
【００６１】
（６）本実施の形態では更に、カウルパネル３に設けた凹設部１３の内部に、突出形成されてウォッシャノズル５０の前側当接部５１と当接する移動規制部６１が設けられている。そのため、前側当接部５１と移動規制部６１との当接位置を比較的大きな自由度をもって設定することができる。
【００６２】
（７）本実施の形態では更に、ウォッシャノズル５０の上壁面５０ａに、移動規制部６１と当接する前側当接部５１が設けられるとともに、移動規制部６１の後側面と当接してウォッシャノズル５０の前方側への移動を規制する規制当接部５２が設けられている。そのため、ウォッシャノズル５０のカウルパネル３への取付状態において開口部１２からウォッシャノズル５０を押し込む方向の外力が作用しても、規制当接部５２が移動規制部６１と当接することでウォッシャノズル５０の同押し込み方向への移動を規制することができる。
【００６３】
（８）本実施の形態では更に、ウォッシャノズル５０の前部の規制当接部５３が開口部１２下縁の装着片１９と当接するときに前側当接部５１が移動規制部６１の下面と当接するとともに、規制当接部５２が移動規制部６１の後側面と当接するときに後側当接部３４が開口部１２下縁の装着片１９と当接する構成とした。そのため、ウォッシャノズル５０は、カウルパネル３の凹設部１３内で前後方向に移動しても、各規制当接部５２，５３によってその移動が規制され、後方（この場合、開口部１２方向）への移動が規制されたときでも前側当接部５１は移動規制部６１に当接し、前方（この場合、開口部１２方向と反対方向）への移動が規制されたときでも後側当接部３４は開口部１２下縁の装着片１９と当接するので、ウォッシャノズル５０の取付姿勢を常に安定させることができるとともに、ウォッシャノズル５０のカウルパネル３からの不用意な脱落を防止できる。
【００６４】
尚、本発明の実施の形態は、以下のように変更してもよい。
・上記各実施の形態では、開口部１２下縁に設けた板状の装着片１９にウォッシャノズル３０，５０の後部を装着するようにしたが、該後部を装着する部位の形状はこれに限定されず、例えば凹部や孔等に変更してもよい。また、この後部を装着する部位の位置を適宜変更してもよく、例えば開口部１２の上縁や側縁等に変更してもよい。一方、ウォッシャノズル３０，５０側においても同様に後側当接部３４や後側弾性片３５，５４の形状や設ける位置を適宜変更してもよい。
【００６５】
・上記第１の実施の形態では、壁側当接部２５の下面に前側当接部４２を当接させて装着壁部１６に設けた係止孔２６にウォッシャノズル３０の前部を装着し、上記第２の実施の形態では、移動規制部６１の下面に前側当接部５１を当接させて装着壁部６０に設けた係止部６５にウォッシャノズル５０の前部を装着したが、該前部を装着する部位の形状及び位置はこれに限定されず、適宜変更してもよい。一方、ウォッシャノズル３０，５０側においても同様に前側当接部４２，５１や前側弾性片４３の形状や設ける位置を適宜変更してもよい。例えば、前側当接部４２，５１を１つではなく複数設けてもよく、前側弾性片４３を対ではなく１つとしてもよい。
【００６６】
・上記各実施の形態では、前側当接部４２，５１の当接方向に弾性力を付与する前側弾性片４３にて規制当接部３６，５３の当接方向にも弾性力を付与する構成としたが、それぞれに弾性力を付与する弾性片を別々に設けてもよい。
【００６７】
・上記各実施の形態では、ノズル装着部１５を、ガラス側壁部１１と装着壁部１６，６０とこれらを連結する連結壁部１７，１８，６２，６３とで四方を連続する壁部にて囲むように構成したが、この構成に限らず、例えば連結壁部１７，１８，６２，６３のいずれかを省略、若しくは両方を省略してもよい。
【００６８】
・上記各実施の形態では、拡散噴射を行うためのノズルチップ３２を内装したウォッシャノズル３０，５０を用いたが、ノズルチップ３２を用いずウォッシャノズル自体に噴射孔を有するものを用いてもよい。
【００６９】
・ところで、特許文献１のウォッシャノズルのホース装着部にホース（ゴム製）を装着する際、ホースの内径を広げつつ該ホースをホース装着部に装着するため、比較的大きな装着力が必要である。そのため、ホース装着の際にウォッシャノズルの装着位置がずれ、特にウォッシャノズルの仰角がずれてしまうと、フロントガラス上の洗浄液の着水位置が所望の位置から大きくずれてしまうという問題が発生する。
【００７０】
以下の構成は、上記課題を解決するためになされたものであって、その目的は、ホース装着の際のウォッシャノズルの位置ずれを防止することができるウォッシャノズル取付構造を提供することにある。
【００７１】
・車両のフロントガラスの下部に配設されるカウルパネルの内側に、前記フロントガラスの払拭面に向かって洗浄液を噴射するためのウォッシャノズルを取り付ける、その取付構造であって、
前記カウルパネルは、内側において上方に凹設した形状をなす凹設部を有しており、該凹設部において前記フロントガラスと対向するガラス側壁部に前記ウォッシャノズルの後部が装着される開口部を有するとともに、前記凹設部内に前記ウォッシャノズルの前部が装着される装着壁部を有し、更に、その装着壁部に下方を向く壁側当接部が設けられ、前記ガラス側壁部における前記開口部の縁部に装着片が前記装着壁部側に突出形成され、
前記ウォッシャノズルは、前記開口部に装着される後部に前記カウルパネルの外側に臨むように前記洗浄液を噴射する噴射孔を有するとともに、前記装着壁部に装着される前部において下方に向けて筒状に延び車体側からの前記洗浄液の供給を受けるべくホースが装着されるホース装着部を有し、更に、前記ウォッシャノズルの前部に前記壁側当接部に下方から当接することで前部において上方への移動を規制する前側当接部が設けられ、前記ウォッシャノズルの後部に前記装着片における上下方向の一側面と当接する後側当接部が設けられ、そのウォッシャノズルの後部に前記装着片における上下方向の他側面と当接するとともにその装着片の他側面を弾性力にて押圧する後側弾性片が設けられ、そのウォッシャノズルの後部がその後側弾性片と前記後側当接部とで前記装着片を挟み込むことで装着片に対して装着され、前記ウォッシャノズルの前部に前方斜め下方に向く当接斜部を有する前側弾性片が設けられるとともに、前記ウォッシャノズルの後部に前記装着片における前記装着壁部側の端部に当接することで後部の前記開口部からの突出を規制する第１規制当接部が設けられ、前記前側弾性片の弾性力により前記当接斜部が前記装着壁部の係止部を押圧することで、前記ウォッシャノズルの前部が上方に押し上げられるように前記前側当接部の前記壁側当接部への当接方向に弾性力を付与して前側当接部を壁側当接部に押圧させるとともに、その当接斜部が前記装着壁部の係止部を押圧することで前記第１規制当接部の前記装着片への当接方向に弾性力を付与して第１規制当接部を前記装着片の端部に押圧させることを特徴とするウォッシャノズル取付構造。
【００７２】
このウォッシャノズル取付構造によれば、カウルパネルは凹設部を有し、該凹設部を構成するガラス側壁部にはウォッシャノズルの後部が装着される開口部が設けられ、該凹設部内にはウォッシャノズルの前部が装着される装着壁部が設けられる。これに対し、ウォッシャノズルは、後部に噴射孔が設けられ、前部において下方に延びるホース装着部が設けられる。このようなウォッシャノズルは、後部において下方への移動を規制すべく開口部の縁部の装着片と当接する後側当接部が設けられ、前部において上方への移動を規制すべく装着壁部の壁側当接部と当接する前側当接部が設けられる。ここで、ホース装着部に車体側から延びるホースが装着される際、該ホース装着部にはホースの装着方向等に比較的大きな装着力が作用し、ウォッシャノズルの前部を上方に移動させようとする。場合によっては、ウォッシャノズルの前部を上方に、ウォッシャノズルの後部を下方に移動させようとする。このような場合、ウォッシャノズルの前部では前側当接部が壁側当接部に当接し、後部では後側当接部が装着片に当接しているため、ウォッシャノズルの前部が上方に、ウォッシャノズルの後部が下方に移動することが防止される。つまり、ホースの装着の際にウォッシャノズルの装着位置がずれることが防止されるため、その中でもウォッシャノズルの仰角のずれが防止されることで、フロントガラス上の洗浄液の着水位置が所望の位置から大きくずれてしまうことが未然に防止される。
【００７３】
また、ウォッシャノズルの後部には後側弾性片が設けられ、前部には前側弾性片が設けられるため、ウォッシャノズルがカウルパネルに対してがたつきなく装着され、装着位置のずれがより確実に防止される。
【００７４】
また、ウォッシャノズルには後部の開口部からの突出を規制すべく装着片と当接する第１規制当接部が設けられ、前側弾性片は第１規制当接部の当接方向に弾性力を付与する。つまり、第１規制当接部が装着片に当接することでウォッシャノズルの開口部からの突出が防止されるとともに、前側弾性片により第１規制当接部が装着片に押圧されることから、ウォッシャノズルがカウルパネルに対してがたつきなく装着される。
【００７５】
・前記ウォッシャノズルの前部には、前記装着壁部の側部と前後方向において対向し、ウォッシャノズルが前方に移動したときにその装着壁部の側部に当接することで、ウォッシャノズルのそれ以上の前方側への移動を規制する当接規制部が設けられていることを特徴とするウォッシャノズル取付構造。  
【００７６】
・前記後側当接部は、前記当接規制部が前記装着壁部の側部と当接するときに前記装着片の前記一側面と当接することを特徴とするウォッシャノズル取付構造。
・車両のフロントガラスの下部に配設されるカウルパネルの内側に、前記フロントガラスの払拭面に向かって洗浄液を噴射するためのウォッシャノズルを取り付ける、その取付構造であって、
前記カウルパネルは、内側において上方に凹設した形状をなす凹設部を有しており、該凹設部において前記フロントガラスと対向するガラス側壁部に前記ウォッシャノズルの後部が装着される開口部を有するとともに、前記凹設部内に前記ウォッシャノズルの前部が装着される装着壁部を有し、更に、前記凹設部内に前記ウォッシャノズルに向けて突出形成される移動規制部を有し、前記ガラス側壁部における前記開口部の縁部に装着片が前記装着壁部側に突出形成され、
前記ウォッシャノズルは、前記開口部に装着される後部に前記カウルパネルの外側に臨むように前記洗浄液を噴射する噴射孔を有するとともに、前記装着壁部に装着される前部において下方に向けて筒状に延び車体側からの前記洗浄液の供給を受けるべくホースが装着されるホース装着部を有し、更に、前記ウォッシャノズルの前部に前記移動規制部に下方から当接することで前部において上方への移動を規制する前側当接部が設けられ、前記ウォッシャノズルの後部に前記装着片における上下方向の一側面と当接する後側当接部が設けられ、そのウォッシャノズルの後部に前記装着片における上下方向の他側面と当接するとともにその装着片の他側面を弾性力にて押圧する後側弾性片が設けられ、そのウォッシャノズルの後部がその後側弾性片と前記後側当接部とで前記装着片を挟み込むことで装着片に対して装着され、前記ウォッシャノズルの前部に前方斜め下方に向く当接斜部を有する前側弾性片が設けられるとともに、前記ウォッシャノズルの後部に前記装着片における前記装着壁部側の端部に当接することで後部の前記開口部からの突出を規制する第１規制当接部が設けられ、前記前側弾性片の弾性力により前記当接斜部が前記装着壁部の係止部を押圧することで、前記ウォッシャノズルの前部が上方に押し上げられるように前記前側当接部の前記移動規制部への当接方向に弾性力を付与して前側当接部を移動規制部に押圧させるとともに、その当接斜部が前記装着壁部の係止部を押圧することで前記第１規制当接部の前記装着片への当接方向に弾性力を付与して第１規制当接部を前記装着片の端部に押圧させることを特徴とするウォッシャノズル取付構造。
【００７７】
このウォッシャノズル取付構造によれば、カウルパネルは凹設部を有し、該凹設部を構成するガラス側壁部にはウォッシャノズルの後部が装着される開口部が設けられ、該凹設部内にはウォッシャノズルの前部が装着される装着壁部が設けられる。これに対し、ウォッシャノズルは、後部に噴射孔が設けられ、前部において下方に延びるホース装着部が設けられる。このようなウォッシャノズルは、後部において下方への移動を規制すべく開口部の縁部の装着片と当接する後側当接部が設けられ、前部において上方への移動を規制すべく移動規制部と当接する前側当接部が設けられる。ここで、ホース装着部に車体側から延びるホースが装着される際、該ホース装着部にはホースの装着方向等に比較的大きな装着力が作用し、ウォッシャノズルの前部を上方に移動させようとする。場合によっては、ウォッシャノズルの前部を上方に、ウォッシャノズルの後部を下方に移動させようとする。このような場合、ウォッシャノズルの前部では前側当接部が移動規制部に当接し、後部では後側当接部が装着片に当接しているため、ウォッシャノズルの前部が上方に、ウォッシャノズルの後部が下方に移動することが防止される。つまり、ホースの装着の際にウォッシャノズルの装着位置がずれることが防止されるため、その中でもウォッシャノズルの仰角のずれが防止されることで、フロントガラス上の洗浄液の着水位置が所望の位置から大きくずれてしまうことが未然に防止される。
【００７８】
また、ウォッシャノズルの後部には後側弾性片が設けられ、前部には前側弾性片が設けられるため、ウォッシャノズルがカウルパネルに対してがたつきなく装着され、装着位置のずれがより確実に防止される。
【００７９】
また、ウォッシャノズルには後部の開口部からの突出を規制すべく装着片と当接する第１規制当接部が設けられ、前側弾性片は第１規制当接部の当接方向に弾性力を付与する。つまり、第１規制当接部が装着片に当接することでウォッシャノズルの開口部からの突出が防止されるとともに、前側弾性片により第１規制当接部が装着片に押圧されることから、ウォッシャノズルがカウルパネルに対してがたつきなく装着される。
【００８０】
また、カウルパネルに設けた凹設部の内部には、突出形成されてウォッシャノズルの前側当接部と当接する移動規制部が設けられる。そのため、前側当接部と移動規制部との当接位置を比較的大きな自由度をもって設定することができる。
【００８１】
・前記ウォッシャノズルの上壁面には、ウォッシャノズルが前方に移動したときに前記移動規制部の後側部と当接することで、ウォッシャノズルのそれ以上の前方側への移動を規制する第２規制当接部が設けられていることを特徴とするウォッシャノズル取付構造。
【００８２】
このウォッシャノズル取付構造によれば、移動規制部は、ウォッシャノズルに向けて突出形成されており、ウォッシャノズルには、その移動規制部と当接する前側当接部が設けられるとともに、移動規制部と当接してウォッシャノズルの前方側への移動を規制する第２規制当接部が設けられる。そのため、ウォッシャノズルのカウルパネルへの取付状態において開口部からウォッシャノズルを押し込む方向の外力が作用しても、第２規制当接部が移動規制部と当接することでウォッシャノズルの同押し込み方向への移動が規制される。
【００８３】
・前記後側当接部は、前記第２規制当接部が前記移動規制部の後側部と当接するときに前記装着片の前記一側面と当接することを特徴とするウォッシャノズル取付構造。
このウォッシャノズル取付構造によれば、第２規制当接部が移動規制部と当接するときに後側当接部が装着片と当接する。そのため、ウォッシャノズルは、前方（この場合、開口部方向と反対方向）への移動が規制されたときでも後側当接部が装着片と当接するので、ウォッシャノズルの取付姿勢が常に安定する。
【００８４】
・前記ホース装着部は、前記ウォッシャノズルの幅方向中央に位置しており、
前記前側弾性片は、対で設けられ、幅方向において前記ホース装着部の両側に設けられることを特徴とするウォッシャノズル取付構造。
【００８５】
このウォッシャノズル取付構造によれば、ホース装着部はウォッシャノズルの幅方向中央に配置され、前側弾性片が対で設けられて幅方向においてホース装着部の両側に設けられる。つまり、幅方向中央に配置されるホース装着部からホース装着時の装着力がウォッシャノズルに幅方向においてバランスよく作用し、しかもホース装着部の両側の各前側弾性片にて前側当接部に幅方向においてバランスよく弾性力が付与可能である。そのため、ウォッシャノズルを安定して支持でき、該ウォッシャノズルの装着位置のずれがより確実に防止される。
【００８６】
・前記カウルパネルには、前記ウォッシャノズルの幅方向両側において前記ガラス側壁部と前記装着壁部とをそれぞれ連結する連結壁部が設けられることを特徴とするウォッシャノズル取付構造。
【００８７】
このウォッシャノズル取付構造によれば、カウルパネルには、ウォッシャノズルの幅方向両側においてガラス側壁部と装着壁部とをそれぞれ連結する連結壁部が設けられる。つまり、ウォッシャノズルを装着するノズル装着部の四方が連続する壁部にて囲まれるため、該ノズル装着部の剛性が高くなる。そのため、例えばノズル装着部に外力が作用しても該ノズル装着部が変形し難くなるため、変形による相互の係止状態が解除されることが防止され、これによりウォッシャノズルの脱落が防止される。
【符号の説明】
【００８８】
１…フロントガラス、１ａ…払拭面、３…カウルパネル、１１…ガラス側壁部、１２…開口部、１３…凹設部、１６…装着壁部、１７…連結壁部、１８…連結壁部、１９…開口部の周縁に設けた装着片、３０…ウォッシャノズル、３３…噴射孔、３４…後側当接部、３５…後側弾性片、３６…第１規制当接部としての規制当接部、４０…ホース装着部、４１…ホース、４２…前側当接部、４３…前側弾性片、５０…ウォッシャノズル、５０ａ…上壁面、５１…前側当接部、５２…第２規制当接部としての規制当接部、５３…第１規制当接部としての規制当接部、５４…後側弾性片、６０…装着壁部、６１…移動規制部、６２…連結壁部、６３…連結壁部、Ｗ…洗浄液。
【図１】
2011006066.tif 000003
【図２】
2011006066.tif 000004
【図３】
2011006066.tif 000005
【図４】
2011006066.tif 000006
【図５】
2011006066.tif 000007
【図６】
2011006066.tif 000008
【図７】
2011006066.tif 000009
【図８】
2011006066.tif 000010